(57)【要約】      （修正有）【課題】本発明は、密封性を改善して電源接続装置への水気の浸み込みを阻止する電源接続装置を提供する。【解決手段】本発明は、接続ポートと第１ゴムワッシャ２０１１が設けられ、接続ポートが第１縦棒と第２縦棒をそれぞれ備える電源モジュール２０１と、接続ケーブルハウジング２０３３を有する接続ケーブル２０３と、接続ケーブルハウジングの先端に設けられるコネクタ２０３１と、を含み、接続ケーブルハウジングの先端表面に第２ゴムワッシャ２０３７が設けられており、電源モジュールと接続ケーブルが電気的に連接する際に、第２ゴムワッシャと第１ゴムワッシャが互いに押圧及び噛合することで電源接続装置が固定され、接続の密封性が向上する防水構造を備える電源接続装置。【選択図】図２
2020102434.tif 000002
【特許請求の範囲】
【請求項１】
防水構造を備える電源接続装置であって、
接続ポートと第１ゴムワッシャが設けられ、当該接続ポートが複数の縦棒を備え、当該複数の縦棒が第１縦棒と第２縦棒を含み、且つ、当該第１縦棒の長さが当該第２縦棒よりも大きい電源モジュール、
接続ケーブルハウジングを有する接続ケーブル、及び
当該接続ケーブルハウジングの先端に設けられるコネクタ、を含み、当該接続ケーブルハウジングの先端表面に第２ゴムワッシャが設けられており、当該電源モジュールと当該接続ケーブルが電気的に連接する際に、当該第２ゴムワッシャと当該第１ゴムワッシャが互いに押圧及び噛合することで当該電源接続装置が固定され、
当該第１縦棒と当該第２縦棒は当該コネクタの設置方向に対し垂直であり、縦方向の押圧によって空気を当該電源接続装置から排出し、接続の密封性を向上するとの目的を達成する電源接続装置。
【請求項２】
当該コネクタは複数の横棒を含み、当該複数の横棒は、設置方向が当該第１縦棒及び当該第２縦棒に対し垂直であり、当該コネクタと当該電源モジュールの連接過程において、当該第１縦棒及び当該第２縦棒とともに横方向及び縦方向の押圧力を形成し、当該電源接続装置が防水基準ＩＰＸ４〜ＩＰＸ８に達するよう接続の密封性を向上させる請求項１に記載の防水構造を備える電源接続装置。
【請求項３】
当該複数の横棒は第１横棒をｎ個と第２横棒を含み、当該コネクタの中央の長さが当該コネクタの周縁よりも長くなるよう、当該第２横棒の長さは当該ｎ個の第１横棒よりも長くなっており、ｎ≧２である請求項２に記載の防水構造を備える電源接続装置。
【請求項４】
当該接続ケーブルハウジングの後端は後端ゴムカバーを含み、当該後端ゴムカバーは円柱状をなしており、且つ、基端の半径が先端よりも小さく、半径が連続して段階的に変化するか、或いは、２つ又は複数の異なる円柱形状が積層されてなる請求項１に記載の防水構造を備える電源接続装置。
【請求項５】
当該コネクタの正面は複数の横棒を配列することで少なくとも１つの「∞」状構造をなしており、当該少なくとも１つの「∞」状構造によって、当該コネクタの左右両端と当該電源モジュールの連接過程における圧力の大きさを均等とできる請求項１に記載の防水構造を備える電源接続装置。
【発明の詳細な説明】
【技術分野】
【０００１】
本発明は防水構造を備える電源接続装置に関し、より詳細には、電源を接続する接続箇所にゴム材料を有し、当該接続箇所の密封性を複数の縦棒及び横棒構造により強化することで、水気の浸み込みを防止して意図しないリスクを低下させるとの目的を達成するものである。
【背景技術】
【０００２】
人類社会に電力が普及して以降、我々の生活には各種機能の電気機器が導入されるようになった。電気機器には、電気エネルギーや電気信号の伝送、或いは交流及び直流の変圧や整流といった機能を有する電源接続装置が取り付けられている。例えば、現在市場で一般的なノートパソコンの電源接続装置には整流機能が遍く備わっている。また、携帯型スマート機器の電源接続装置は、信号及び電気エネルギーの伝送、整流機能等を兼ね備えている。
【０００３】
図１を参照して、従来技術では、一般的な電源接続装置（１００）の構成として、通常はプリント回路（１０１１）又は電子部品を内部に含む電源モジュール（１０１）を有しており、電気エネルギーや電気信号を伝送する接続ケーブル（１０３）が、電源モジュール（１０１）の外部に設けられた接続ポート（１０１３）における対応する各種オス、メスコネクタを介して接続される。しかし、上述した従来の電源接続装置（１００）の構成では、電源モジュール（１０１）の外部に設けられた接続ポート（１０１３）に防水又は防塵構造が備わっておらず、往々にして水気や浮遊微粒子が接続ポート（１０１３）の電極に浸み込んだり蓄積したりしやすい。そのため、装置が次第に老朽化するに伴って電極が腐食し、故障や短絡が生じる結果、装置全体の電圧が瞬間的に上昇する。これにより、電気エネルギーを供給する電気機器が損傷することで寿命が短縮し、ひいては火災や漏電が招来される。
【０００４】
そこで、現在、市場には防水構造を備える電源接続装置を打ち出すメーカーも現れており、例えば、特許文献１は、防水構造を備える電源コネクタを開示している。当該電源コネクタのコネクタハウジングの構造は、接続ポートのインターフェース表面に装設されるゴムワッシャを含むとともに、電線をコネクタの内部と外部に挿設可能とすべくハウジングの先端に設けられる複数の凹溝を備える。接続の過程では、一定レベルの防水性能を備えるよう、接続ポートと接続ケーブルを当該ゴムワッシャの変形によって互いにしっかりと噛合させる。しかし、現在のところ、このような防水構造には依然として改良の余地が残されている。まず、ゴムワッシャについて、現在市販されている製品の多くは、接続ポートにおけるインターフェースの平面のうち電極付近の位置にのみゴムワッシャが敷設され、接続ポートにおけるインターフェースの表面全体に完全に敷設されるわけではない。そのため、依然として水気が接続ポートと接続ケーブルとの隙間に浸み込む恐れがあり、全面的な防水機能は達し得ない。また、接続ポートと接続ケーブルの表面構造は、接続過程で内部の残留空気を均等に外部へ押し出す構成とはなっていないか、そのような構成のものは少数である。そのため、接続ポートと接続ケーブルとの隙間に少量の空気が存在したままとなって、電源接続装置全体の密封性が低下する。
【先行技術文献】
【特許文献】
【０００５】
【特許文献１】欧州特許出願公開第１０５９６９８号明細書
【発明の概要】
【発明が解決しようとする課題】
【０００６】
そこで、上記より、現在の市場では、密封性を改善して電源接続装置への水気の浸み込みを阻止するとの目的を達成すべく、電源接続装置の防水構造を改良することが依然として求められている。
【課題を解決するための手段】
【０００７】
上記の従来技術における欠点に鑑みて、本発明は、接続ポートと第１ゴムワッシャが設けられ、接続ポートが第１縦棒と第２縦棒をそれぞれ備え、且つ、当該第１縦棒の長さが当該第２縦棒よりも大きい電源モジュールと、接続ケーブルハウジングを有する接続ケーブルと、接続ケーブルハウジングの先端に設けられるコネクタと、を含み、接続ケーブルハウジングの先端表面に第２ゴムワッシャが設けられており、電源モジュールと接続ケーブルが電気的に連接する際に、第２ゴムワッシャと第１ゴムワッシャが互いに押圧及び噛合することで電源接続装置が固定され、前記の第１縦棒と第２縦棒はコネクタの設置方向に対し垂直であり、縦方向の押圧によって空気を電源接続装置から排出し、接続の密封性を向上させる防水構造を備える電源接続装置を提供する。
【０００８】
本発明の内容によれば、前記コネクタは第１横棒と第２横棒を含み、コネクタと電源モジュールの連接過程において、前記第１縦棒及び第２縦棒とともに横方向及び縦方向の押圧力経路をそれぞれ形成する。これにより、コネクタと接続ポートとの隙間における空気の緩やかな排出を促すことで、接続の密封性を更に向上させる。
【０００９】
上記について、接続ケーブルのコネクタを正面から見ると、複数の第１横棒と第２横棒の配列により「∞」状構造が形成される。当該「∞」状構造は、電源モジュールとの連接過程における受力面積が従来の「Ｏ」状構造よりも大きくなるため、コネクタの左右両端における圧力が均等となる。よって、密封性が改善されるとともに、電源接続装置において、コネクタの左右両端の圧力が一致しないために、コネクタの高圧側の一端は密封性が向上するが、低圧側の一端には隙間が生じ、環境中の空気や水気、浮遊微粒子が電源接続装置の内部に進入して正常な運転に支障をきたす恐れがなくなる。
【００１０】
また、接続ケーブルハウジングの後端には後端ゴムカバーが設けられており、接続ケーブルと接続ケーブルハウジングとの隙間を封止している。これにより、接続ケーブルハウジングの外部と内部が隔離されるため、外部環境における空気や水気、浮遊微粒子が接続ケーブルハウジングの内部に進入するとの事態が阻止される。
【００１１】
本発明の内容によれば、第２ゴムワッシャ及び第１ゴムワッシャには、ポリウレタン（Ｐｏｌｙｕｒｅｔｈａｎｅ，ＰＵ）、ブチルゴム（Ｂｕｔｙｌ  Ｒｕｂｂｅｒ，ＩＩＲ）、ハイパロンゴム（Ｈｙｐａｌｏｎ  Ｐｏｌｙｅｔｈｌｅｎｅ  Ｒｕｂｂｅｒ，ＣＳＭ）、天然ゴム（Ｎａｔｕｒａｌ  Ｒｕｂｂｅｒ，ＮＲ）、ポリアクリル酸ゴム（Ｐｏｌｙａｃｒｙｌａｔｅ  Ｒｕｂｂｅｒ，ＡＣＭ）、ネオプレンゴム（Ｎｅｏｐｒｅｎｅ  Ｒｕｂｂｅｒ，ＣＲ）等を使用してもよいし、これら材料の組み合わせとしてもよいが、上記に限らない。
【発明の効果】
【００１２】
本発明で提供する防水構造によれば、防水等級が防水基準ＩＰＸ４〜ＩＰＸ８（Ｉｎｔｅｒｎａｔｉｏｎａｌ  Ｐｒｏｔｅｃｔｉｏｎ  Ｍａｒｋｉｎｇ）を満たすことが可能である。
【００１３】
以上は、本発明の目的、技術手段及び達成可能な効果を説明するためのものであるが、当業者であれば、以下の実施例の記載とこれらに伴う図面、及び特許請求の範囲から本発明をより明確に理解可能である。
【００１４】
以下で述べる本発明の詳細な記載及び実施例の図面は本発明をよりしっかりと理解するためのものであるが、これらは本発明の応用を理解するための参考にすぎず、本発明を特定の実施例に限るとの主旨ではない。
【図面の簡単な説明】
【００１５】
【図１】図１は、従来の電源接続装置の構成を説明するものである。
【図２】図２は、本発明の防水構造を備える電源接続装置の構成を示す。
【図３】図３は、電源モジュールと電源コードの連接後に如何にして密封性を向上させるかの細部構造を説明している。
【図４】接続ケーブルの組み立て過程を説明している。
【図５】図５は、接続ケーブルを正面から見た場合にコネクタが「∞」状構造をなすことを示している。
【発明を実施するための形態】
【００１６】
好ましい実施例及び観点から本発明について詳細に述べる。以下の記載は、読者がこれら実施例の実行方式をしっかりと理解できるよう、本発明における特定の実施の詳細を提示するものである。ただし、当業者は、これら詳細事項を備えない条件であっても本発明を実行可能であると解釈すべきである。このほか、本発明はその他の具体的実施例によっても運用及び実施可能である。本明細書で詳述する各詳細事項はニーズの違いに応じて応用すればよく、且つ、本発明の精神を逸脱しなければ各種の補足又は変更が可能である。また、好ましい実施例及び観点から本発明について述べるが、このような記載は本発明の構造を解釈するためのものであって、本発明の特許請求の範囲を制限するものではなく、説明するためのものにすぎない。なお、以下の記載で使用する用語は、本発明の特定の実施例における詳細な記載とともに使用される場合であっても、最も広義且つ合理的に解釈される。
【００１７】
本発明は、まずは、ゴムワッシャのような部分について、従来の電源接続装置の防水構造を改良することを目的とする。本発明のゴムワッシャは、インサート成形方式によって、接続ポート及びコネクタにおけるインターフェースの平面に、電極付近の位置も含めて完全に敷設されるため、水気や浮遊微粒子が接続ケーブルハウジングの内部に進入する恐れが除去される。また、電源モジュールと接続ケーブルの連接過程において、内部の残留空気をできる限り均等に外部へ押し出す構成とすることで、コネクタ両端の圧力が均一化するため、低圧の隙間から水気が浸み込む恐れが低下する。なお、詳細な構造及び実施形態については以下で詳述する。最後に、本発明では、前記複数の第１縦棒、第２縦棒、第１横棒、第２横棒について、応用上の必要性に基づいて適切な数量を選択可能である。また、これらはそれぞれ「縦棒」及び「横棒」と総称される。なお、これらもまた同様に説明のためのものにすぎず、本発明の権利範囲を制限するものではない。
【００１８】
図２及び図３を参照して、本発明は、防水構造を備える電源接続装置（２００）を提供する。当該装置は、接続ポート（２０１３）と第１ゴムワッシャ（２０１１）が設けられ、接続ポート（２０１３）が第１縦棒（２０１５）と第２縦棒（２０１７）をそれぞれ備え、且つ、第１縦棒（２０１５）の長さが第２縦棒（２０１７）よりも大きい電源モジュール（２０１）と、接続ケーブルハウジング（２０３３）を有する接続ケーブル（２０３）を含む。また、コネクタ（２０３１）が接続ケーブルハウジング（２０３３）の先端に設けられ、接続ケーブルハウジング（２０３３）の先端表面に第２ゴムワッシャ（２０３７）が設けられている。電源モジュール（２０１）と接続ケーブル（２０３）が電気的に連接する際には、第２ゴムワッシャ（２０３７）と第１ゴムワッシャ（２０１１）が互いに押圧及び噛合することで電源接続装置が固定される。前記第１縦棒（２０１５）と第２縦棒（２０１７）はコネクタ（２０３１）の設置方向に対し垂直であり、縦方向の押圧によって空気を電源接続装置から排出し、接続の密封性を向上させる。
【００１９】
前記接続ケーブルハウジング（２０３３）の外形は箱型構造をなしており、先端と基端に接続ケーブル（２０３）の配線材料を挿設するための貫通孔が設けられている。先端の貫通孔には横棒が組み合わされて「∞」状構造をなしている。また、後端は、接続ケーブル（２０３）の配線材料を徐々に収束することで接続ケーブル（２０３）に対する接続ケーブルハウジング（２０３３）の密封性が向上するよう、２つ又は複数の半径の異なる円柱形状が積層されてなる。
【００２０】
図３を参照して、本発明の一実施例において、前記第１縦棒（２０１５）は第２縦棒（２０１７）の左側に位置している。当該第１縦棒（２０１５）の長さを第２縦棒（２０１７）よりも大きくしているのは、コネクタ（２０３１）を電源モジュール（２０１）に挿入する際に、左側に位置する第１縦棒（２０１５）が第２縦棒（２０１７）よりも大きな押圧力を付与できるようにするためである。これにより、第１ゴムワッシャと第２ゴムワッシャが互いに噛合及び押圧される過程で残留空気が右側へと押し出され、電源接続装置（２００）の外部に排出されるため、電源接続装置（２００）の密封性が向上する。よって、環境中の水気や浮遊微粒子の電源接続装置（２００）に対する浸み込みを防止するとの目的が達成される。
【００２１】
上述した本発明の好ましい実施例では、コネクタ（２０３１）の中央の長さがコネクタ（２０３１）の周縁よりも長くなるよう、第２横棒（２０３９）の長さを第１横棒（２０３８）よりも長くしている。且つ、横棒同士は互いに平行である。本発明の観点において、このような構造は、コネクタ（２０３１）が電源モジュール（２０１）に挿入される際に、第２横棒（２０３９）を中央に位置させることで、周縁の第１横棒（２０３８）よりも残留空気に対する押圧力を大きくし、連接過程で空気を確実に電源接続装置（２００）から排出することを目的としている。このように、上記の縦棒と横棒によって二方向の押圧力経路をそれぞれ形成し、コネクタ（２０３１）と電源モジュール（２０１）との隙間の空気が確実に排出されるよう促すことで、接続の密封性を更に向上させている。
【００２２】
図５を参照して、接続ケーブル（２０３）のコネクタ（２０３１）を正面から見ると、複数の第１横棒（２０３８）と第２横棒（２０３９）が配列されて「∞」状構造をなしている。これにより、接続ポート（２０１３）におけるコネクタ（２０３１）の受力面積をできる限り拡大し、コネクタ（２０３１）の左右両端における圧力が均等となるようにしている。また、第２ゴムワッシャ（２０３７）は、コネクタ（２０３１）の内側及びこれと平行な表面に全体的に敷設されている。また、本発明の観点では、伝送する電気エネルギーや電気信号が大量となる場合に（例えば、高速充電を強調する大電流充電器や、ハイスループットのデータストリームを強調する伝送器の場合）、電源接続装置（２００）がコネクタ（２０３１）又は接続ポート（２０１３）に複数のピン（ｍｕｌｔｉｐｌｅ−ｐｉｎ）を要するときは、応用上の必要性に応じて相応数の縦棒及び横棒を補充すればよい。これにより、電源接続装置（２００）に複数の「∞」状構造を有するコネクタ（２０３１）を形成し、電源接続装置（２００）の接続ポート（２０１３）の圧力を同一に維持することで、密封性を効果的に向上させられる。本発明で提供する防水構造では、比較的経済的なコストでＩＰＸ４以上の要求を満たすことができる。即ち、国際保護等級（Ｉｎｔｅｒｎａｔｉｏｎａｌ  Ｐｒｏｔｅｃｔｉｏｎ  Ｍａｒｋｉｎｇ，ＩＰ）の認証基準に基づき、本発明が提供する電源接続装置（２００）は、８０〜１００ｋＰａの水圧、１０Ｌ／ｍｉｎの水流量、連続５分間の散水を受けても損傷することがない。また、応用上の必要性に応じて防水基準をＩＰＸ８のレベルまで向上させられる。本発明の実施例において、密封性は低真空（Ｒｏｕｇｈ  Ｖａｃｕｕｍ）から中真空（Ｍｅｄｉｕｍ  Ｖａｃｕｕｍ）の範囲、即ち１０〜７５０Ｔｏｒｒの間となる。
【００２３】
接続ケーブル（２０３）の組み立て過程を説明する図４Ａ〜図４Ｃを参照する。接続ケーブルハウジング（２０３３）は、製造時にインサート成形方式を採用する。第２ゴムワッシャ（２０３７）は製造時に予め金型内に配置されるため、金型を開いて接続ケーブルハウジング（２０３３）を取り出せば、第２ゴムワッシャ（２０３７）は自身の弾性によって第１横棒（２０３８）と第２横棒（２０３９）の構造に完全に適合可能となる。また、接続ケーブルハウジング（２０３３）の体積が縮小するとともに、製造精度を向上させられ、防水密封性も自ずと改善可能となる。これにより従来の防水構造ではゴムワッシャを接着剤は真空接着により装置の表面に直接貼り付けることから、防水効果が芳しくないとの欠点が改善される。また、本発明の他の実施例において、第１ゴムワッシャ（２０１１）と接続ポート（２０１３）の製造にインサート成形を採用してもよいが、これに限らない。
【００２４】
図４Ａ〜図４Ｃを参照して、本発明の内容に基づき、電源接続装置（２００）の組み立てにあたっては、接続ケーブル（２０３）の配線材料をコネクタ（２０３１）の先端から後端に向かう方向に接続ケーブルハウジング（２０３３）へと挿入し、配線材料を接続ケーブルハウジング（２０３３）にしっかりと固定した後、接続ケーブル（２０３）の後端に後端ゴムカバー（２０３５）を取り付ける。当該後端ゴムカバー（２０３５）は、接続ケーブル（２０３）に隙間ができて水気が浸み込まないよう、接続ケーブルハウジング（２０３３）と配線材料を固定する。当該後端ゴムカバー（２０３５）は接続ケーブルハウジング（２０３３）の基端に位置し、接続ケーブルハウジング（２０３３）の基端に適合した構造となるよう、円柱状の外形をなしている。且つ、接続ケーブル（２０３）の配線材料を収束すべく、後端ゴムカバー（２０３５）の基端の半径は先端よりも小さくなっている。当該後端ゴムカバー（２０３５）は、半径を連続して段階的に変化させてもよいし、２つ又は複数の異なる円柱形状を積層してもよい。
【００２５】
本発明の内容に基づき、第２ゴムワッシャ（２０３７）及び第１ゴムワッシャ（２０１１）には、ポリウレタン（Ｐｏｌｙｕｒｅｔｈａｎｅ，ＰＵ）、ブチルゴム（Ｂｕｔｙｌ  Ｒｕｂｂｅｒ，ＩＩＲ）、ハイパロンゴム（Ｈｙｐａｌｏｎ  Ｐｏｌｙｅｔｈｌｅｎｅ  Ｒｕｂｂｅｒ，ＣＳＭ）、天然ゴム（Ｎａｔｕｒａｌ  Ｒｕｂｂｅｒ，ＮＲ）、ポリアクリル酸ゴム（Ｐｏｌｙａｃｒｙｌａｔｅ  Ｒｕｂｂｅｒ，ＡＣＭ）、ネオプレンゴム（Ｎｅｏｐｒｅｎｅ  Ｒｕｂｂｅｒ，ＣＲ）等を使用してもよいし、これら材料の組み合わせとしてもよいが、上記に限らない。本発明の好ましい実施例では、有効挿抜可能回数が増加するよう、引っ張り力、耐摩耗性、密封性等の要素を考慮して、ポリウレタン（Ｐｏｌｙｕｒｅｔｈａｎｅ，ＰＵ）をゴムワッシャの材料として使用する。また、本発明の好ましい実施例では、応用上の防水基準の必要性に応じて（ＩＰＸ４〜ＩＰＸ８）、有効挿抜回数を９０００〜１５０００回としている。
【符号の説明】
【００２６】
１００  電源接続装置
１０１  電源モジュール
１０１１  プリント回路
１０１３  接続ポート
１０３  接続ケーブル
２００  電源接続装置
２０１  電源モジュール
２０１１  第１ゴムワッシャ
２０１３  接続ポート
２０１５  第１縦棒
２０１７  第２縦棒
２０３  接続ケーブル
２０３１  コネクタ
２０３３  接続ケーブルハウジング
２０３５  後端ゴムカバー
２０３７  第２ゴムワッシャ
２０３８  第１横棒
２０３９  第２横棒
【図１】
2020102434.tif 000003
【図２】
2020102434.tif 000004
【図３】
2020102434.tif 000005
【図４】
2020102434.tif 000006
【図５】
2020102434.tif 000007
【外国語明細書】
2020102434000001.pdf